(57)【要約】【課題】容器本体を左手で持って、右手でポップコーンを摘み出して食するに際して、この右手で蓋体を支えなければならず面倒である。【解決手段】蓋体３０をヒンジ１５を介して回動して、この蓋体３０を略直立状態にした場合に、蓋側摩擦プレート部３８を２枚の容器側摩擦プレート部１９間に入り込ませて、楔作用で容器側摩擦プレート部１９間を押し広げて、蓋側摩擦プレート部３８を容器側摩擦プレート部１９に摩擦接触させる構成であり、蓋側摩擦プレート部３８と、この蓋側摩擦プレート部３８を挟む容器側摩擦プレート部１９との間の摩擦力の発生により、蓋体３０から指を離しても、蓋体３０が、その回動位置に保持されて自立するようにしたものである。【選択図】  図４
2004307054.tif 000002
【特許請求の範囲】
【請求項１】
容器本体と、この容器本体にヒンジを介して開閉可能に設けられた蓋体とより構成された蓋付容器であって、
前記蓋体を前記ヒンジを支点として所定の角度に回動した状態で、この蓋体を自立させる蓋姿勢制御手段を備えたことを特徴とする蓋付容器。
【請求項２】
前記蓋姿勢制御手段が、前記蓋体の回動により移動する突起部と、前記蓋体の回動時に、前記突起部が摩擦接触する摩擦接触部とで構成されていることを特徴とする請求項１に記載の蓋付容器。
【請求項３】
前記突起部は、前記蓋体に設けられた蓋側摩擦プレート部であり、前記摩擦接触部は、前記容器本体に設けられた２枚の容器側摩擦プレート部の互いに対向する壁部であり、
前記蓋側摩擦プレート部は、その先端部から基部に至るにしたがって、その厚さが順次厚くなるテーパを有しており、
前記蓋体の所定の角度の回動時に、前記蓋側摩擦プレート部が前記容器側摩擦プレート部間に入り込んで、楔作用で前記容器側摩擦プレート部間を押し広げて、前記蓋側摩擦プレート部が前記容器側摩擦プレート部に摩擦接触することを特徴とする請求項１又は請求項２に記載の蓋付容器。
【請求項４】
前記容器本体内にポップコーンを入れるようにしたことを特徴とする請求項１乃至請求項３のいずれかの一に記載の蓋付容器。
【発明の詳細な説明】
【０００１】
【発明の属する技術分野】
本発明は、例えば、ポップコーンを入れたポップコーン用容器のような蓋付容器に関するものである。
【０００２】
【従来の技術】
一般に、蓋付容器としては容器本体のヒンジを介して蓋体を取付けた構成であり、容器本体内に入れた収容物が、例えば、ポップコーンのような食物である場合、蓋体をヒンジを介して回動して、この蓋体に手を添えて容器本体の口部を開けた状態にして容器本体内のポップコーンを摘み出して食するようになる。
【０００３】
なお、従来のポップコーン用容器としては、紙を主材料とするシートによって形成されたカップ状の容器本体と、この容器本体の開口縁部に装着される合成樹脂製の蓋体とから成り、容器本体の開口縁部は外側に巻込まれて成るカール部を有し、蓋体の周璧部の段部がカール部に係合されて蓋体が容器本体の開口縁部に装着され、しかも蓋体の周璧部の段部には外周側へ突出してカール部との間に空気の通路を形成する膨出部が円周方向に沿って間欠的に複数設けられているものがある（特許文献１参照）。
【０００４】
このポップコーン用容器の場合、容器内に例えば食用油脂がまぶされた処理コーンを収納して供給される。このようなポップコーンは容器に入ったままの状態で電子レンジで加熱される。このときのポップコーンの発泡に伴う内圧の増加に伴い、段部に設けられている膨出部によって形成される空気の通路を通して内部の空気が外に排出され、内圧の増加を吸収することになる。従って、これにより、蓋体が外れることがなく、電子レンジによる加熱に支障を生じなくなる。
【０００５】
そして、所定時間の加熱を行って、ポップコーンを十分に発泡させたならば、その後、電子レンジから容器を取り出して、蓋体を取り外すことによってポップコーンを食する。
【０００６】
【特許文献１】
実用新案公開平０７−０４０５５１号公報
【０００７】
【発明が解決しようとする課題】
しかしながら、上記したように蓋付容器の場合には、蓋体をヒンジを介して回動して、この蓋体に手を添えて容器本体の口部を開けた状態にして容器本体内のポップコーンを摘み出して食するようになり、容器本体を左手で持って、右手でポップコーンを摘み出して食するに際して、この右手で蓋体を支えなければならず、面倒であるという問題点があった。
【０００８】
本発明は、上記の問題点に着目して成されたものであって、その目的とするところは、蓋体に手を添えることなく、容器本体の口部を開けた状態にして容器本体内の収容物（例えばポップコーン）を摘み出すことができる蓋付容器を提供することにある。
【０００９】
【課題を解決するための手段】
上記の目的を達成するために、本発明に係る蓋付容器は、容器本体と、この容器本体にヒンジを介して開閉可能に設けられた蓋体とより構成された蓋付容器であって、蓋体をヒンジを支点として所定の角度に回動した状態で、この蓋体を自立させる蓋姿勢制御手段を備えたものである。
【００１０】
かかる構成により、蓋体をヒンジを介して回動して、この蓋体が所定の角度に起立すると、蓋体が蓋姿勢制御手段より、その回動位置に保持されて自立するようになる。従って、容器本体内に入れた収容物が、例えば、ポップコーンのような食物である場合、蓋体をヒンジを介して回動して、この蓋体に手を添えることなく、容器本体の口部を開けた状態にして容器本体内のポップコーンを摘み出して食することができる。
【００１１】
また、本発明に係る蓋付容器は、上記した本発明に係る蓋付容器において、蓋姿勢制御手段が、蓋体の回動により移動する突起部と、蓋体の回動時に、突起部が摩擦接触する摩擦接触部とで構成されている。
【００１２】
かかる構成により、蓋体をヒンジを介して回動して、この蓋体が所定の角度に起立すると、突起部が摩擦接触部に摩擦接触する。このために、突起部と摩擦接触部との間に摩擦力が発生して、この蓋体から指を離しても、蓋体は、その回動位置に保持されて自立する。従って、容器本体内に入れた収容物が、例えば、ポップコーンのような食物である場合、蓋体をヒンジを介して回動して、この蓋体に手を添えることなく、容器本体の口部を開けた状態にして容器本体内のポップコーンを摘み出して食することができる。
【００１３】
また、本発明に係る蓋付容器は、上記した本発明に係る蓋付容器において、突起部は、蓋体に設けられた蓋側摩擦プレート部であり、摩擦接触部は、容器本体に設けられた２枚の容器側摩擦プレート部の互いに対向する壁部であり、蓋側摩擦プレート部は、その先端部から基部に至るにしたがって、その厚さが順次厚くなるテーパを有しており、蓋体の所定の角度の回動時に、蓋側摩擦プレート部が容器側摩擦プレート部間に入り込んで、楔作用で容器側摩擦プレート部間を押し広げて、蓋側摩擦プレート部が容器側摩擦プレート部に摩擦接触するものである。
【００１４】
かかる構成により、蓋体をヒンジを介して回動して、この蓋体が所定の角度に起立すると、蓋側摩擦プレート部が２枚の容器側摩擦プレート部間に入り込んで、楔作用で容器側摩擦プレート部間を押し広げて、蓋側摩擦プレート部が容器側摩擦プレート部に摩擦接触する。このために、蓋側摩擦プレート部と、この蓋側摩擦プレート部を挟む容器側摩擦プレート部との間に摩擦力が発生して、この蓋体から指を離しても、蓋体は、その回動位置に保持されて自立する。従って、容器本体内に入れた収容物が、例えば、ポップコーンのような食物である場合、蓋体をヒンジを介して回動して、この蓋体に手を添えることなく、容器本体の口部を開けた状態にして容器本体内のポップコーンを摘み出して食することができる。
【００１５】
また、本発明に係る蓋付容器は、上記した本発明に係る蓋付容器において、容器本体内にポップコーンを入れるようにしたものである。
【００１６】
かかる構成により、蓋体をヒンジを介して回動して、この蓋体が所定の角度に起立すると、この蓋体から指を離しても、蓋体は、その回動位置に保持されて自立するようになるために、蓋体に手を添えることなく、容器本体内のポップコーンを摘み出すことができる。
【００１７】
【発明の実施の形態】
以下、本発明の実施の形態を図面に基づいて説明する。
【００１８】
本発明に係る蓋付容器は、容器本体１と、この容器本体１に設けられた取手部材２１と、容器本体１に開閉可能に設けられた蓋体３０とより構成してある。
【００１９】
容器本体１は、底部１Ａと、この底部１Ａの周縁部に立上げられた周壁部１Ｂとを有していて、これらで上方に開口する収容空間２を形成している。そして、図５及び図６に示すように、周壁部１Ｂの一部は平坦な後面部３にしてあり、この後面部３に対する前面部４と左、右面部５、６とは連続した湾曲面に形成してあり、後面部３の中心から前面部の中心を通る中心線イに対して左右対称になっている。
【００２０】
そして、容器本体１の口部７の周部には、図４に示すように、周壁部１Ｂと段部８を介して連なる開口周壁部９が形成してあり、この開口周壁部９の周縁部は蓋受け部１０にしてあり、この蓋受け部１０は開口周壁部９と段部１１を介して連なっていて、段部１１の外周部には蓋係止部にしてある。
【００２１】
容器本体１の左、右面部５、６には、その開口周壁部９側に位置させて、支承孔形成部１３が相対向するようにして形成してあり、これらの支承孔形成部１３には支承孔１４が形成してある。
【００２２】
また、容器本体１の後面部３の左右対称位置には、その開口周壁部９側に位置させて、蓋取付用のヒンジ１５が設けてある。
【００２３】
これらのヒンジ１５は、後壁部３から開口周壁部９にかけて一対の突片１７を突設して、これらの突片１７でヒンジ軸部１８を保持した構成である。
【００２４】
また、図６に示すように、開口周壁部９には、ヒンジ１５の一対の突片１７間に位置させて２枚の容器側摩擦プレート部１９が突設してある。これらの容器側摩擦プレート部１９は上下方向に向けてあって、互いに平行している。そして、２枚の容器側摩擦プレート部１９の相対向する壁部が摩擦接触部にしてある。
【００２５】
取手部材２１は略半円弧形状の部材本体２１Ａの両端部にヒンジピン部２２を突設して構成してある。
【００２６】
そして、この取手部材２１は、そのヒンジピン部２２を支承孔１４に回転可能に支承することで容器本体１に取付けてある。
【００２７】
蓋体３０は、図４、図７及び図８に示すように、容器本体１の口部７の形状に倣う蓋本体３１を有しており、この蓋本体３１の周部には、この蓋本体３１と段部３１Ａを介して連なる蓋周壁部３２が形成してあり、この蓋周壁部３２の一部は直線状の後側部３３にしてあり、段部３１Ａの内面が当り部３１Ｂにしてある。
【００２８】
そして、前側部３４の蓋周壁部３２には、その外側に摘み部３４が突設してあり、その内側に係止部３５が形成してある。
【００２９】
また、後側部３３の蓋周壁部３２の左右対称位置には蓋側ヒンジ部３６が突設してある。これらの蓋側ヒンジ部３６は、上方向に開放した側面Ｕ字形状の溝部３７から構成してある。
【００３０】
そして、蓋側ヒンジ部３６には溝部３７の開放方向（上方向）とは反対方向（下方向）に突起部である蓋側摩擦プレート部３８が突設している。この蓋側摩擦プレート部３８は、その先端部から基部に至るにしたがって、その厚さが順次厚くなるテーパ形状にしてある。
【００３１】
そして、蓋体３０の蓋側ヒンジ部３６を、ヒンジ１５の一対の突片１７間に上から挿入して、蓋体３０を容器本体１側に倒すことで、蓋側ヒンジ部３６の溝部３７を下からヒンジ軸部１８に合致させることで、蓋体３０が容器本体１に回動可能に且つ着脱可能に取付けてある。
【００３２】
そして、蓋体３０が、その当り部３１Ｂを容器本体１の蓋受け部１０に接した状態で、この容器本体１の口部７を閉じており、この場合、蓋周壁部３２の内側の係止部３５が容器本体１の蓋係止部である段部１１に係脱可能に係止している。
【００３３】
そして、上記したように蓋体３０が容器本体１の口部７を閉じた状態では、図３に示すように、蓋側ヒンジ部３６に設けられた蓋側摩擦プレート部３８は２枚の容器側摩擦プレート部１９間に挿入されていない。
【００３４】
そして、２枚の容器側摩擦プレート部１９と蓋側摩擦プレート部３８とで蓋姿勢制御手段を構成している。
【００３５】
次に、上記のように構成された蓋付容器における蓋体３０の開閉動作を説明する。
【００３６】
摘み部３４に指を引っ掛けて蓋体３０を上方向に引くことで、この蓋体３０の係止部３５を容器本体１の段部１１から外し、蓋体３０をヒンジ軸部１８を支点にして後方に回動させることにより容器本体１の口部７を開ける。
【００３７】
この場合、蓋体３０を後方に回動すると、蓋側摩擦プレート部３８の先端部が２枚の容器側摩擦プレート部１９間に入り込み、楔作用で蓋側摩擦プレート部３８が２枚の容器側摩擦プレート部１９の隙間２０を押し広げる。このために、蓋側摩擦プレート部３８の壁部と、この蓋側摩擦プレート部３８を挟む容器側摩擦プレート部１９の壁部との間に摩擦力が発生して、この蓋体３０から指を離しても、蓋体３０は、その回動位置である略直立状態に保持されて、自立するようになる。
【００３８】
また、蓋体３０を、その略直立状態の位置から前方に指で回動させると、蓋側摩擦プレート部３８が容器側摩擦プレート部１９間から外れるために、上記した摩擦力がなくなり、蓋体３０は容器本体１側に倒れて、その当り部３１Ｂが容器本体１の蓋受け部１０に接し、この容器本体１の口部７が閉ざされる。この状態で、摘み部３４を指で押すことで係止部３５を容器本体１の段部１１に係脱可能に係止する。
【００３９】
上記したように、本発明の実施の形態によれば、蓋体３０をヒンジ１５を介して回動して、この蓋体３０が略直立状態になると、蓋側摩擦プレート部３８が２枚の容器側摩擦プレート部１９間に入り込んで、楔作用で容器側摩擦プレート部１９間を押し広げて、蓋側摩擦プレート部３８が容器側摩擦プレート部１９に摩擦接触する。このために、蓋側摩擦プレート部３８と、この蓋側摩擦プレート部３８を挟む容器側摩擦プレート部１９との間に摩擦力が発生して、この蓋体３０から指を離しても、蓋体３０は、その回動位置に保持されて自立する。
【００４０】
従って、容器本体１内に入れた収容物が食物である場合、蓋体３０をヒンジ１５を介して回動して、この蓋体３０に手を添えることなく、容器本体１の口部７を開けた状態にして容器本体１内の食物を摘み出して食することができる。
【００４１】
上記のように構成された蓋付容器は、その収容空間２にポップコーンを入れたポップコーン収容用容器に使用される。
【００４２】
この場合、蓋体３０が略直立状態で自立するために、この蓋体３０に手を添えることなく、収容空間２内のポップコーンを摘み出すことができる。
【００４３】
【発明の効果】
以上説明したように、本発明に係る蓋付容器によれば、容器本体内に入れた収容物が、例えば、ポップコーンのような食物である場合、蓋体をヒンジを介して回動して、この蓋体に手を添えることなく、容器本体の口部を開けた状態にして容器本体内のポップコーンを摘み出して食することができる。
【図面の簡単な説明】
【図１】本発明に係る蓋付容器において蓋体を閉じた状態の斜視図である。
【図２】同蓋付容器において蓋体を開けた状態の斜視図である。
【図３】同蓋付容器において蓋体を閉じた状態での縦断面図である。
【図４】同蓋付容器において蓋体を開いた状態での縦断面図である。
【図５】同蓋付容器における容器本体の平面図である。
【図６】同容器本体の底面図である。
【図７】同蓋付容器における蓋体の平面図である。
【図８】同蓋体の側面図である。
【符号の説明】
１      容器本体
１１    段部（蓋係止部）
１５    ヒンジ
１９    容器側摩擦プレート部（摩擦接触部）（蓋姿勢制御手段）
３０    蓋体
３８    蓋側摩擦プレート部（突起部）（蓋姿勢制御手段）
【図１】
2004307054.tif 000003
【図２】
2004307054.tif 000004
【図３】
2004307054.tif 000005
【図４】
2004307054.tif 000006
【図５】
2004307054.tif 000007
【図６】
2004307054.tif 000008
【図７】
2004307054.tif 000009
【図８】
2004307054.tif 000010